(57)【要約】【課題】コネクタへの異物混入に起因した端子間の短絡を高精度に判定する。【解決手段】電子機器１０において、監視回路１６は、Ｔｙｐｅ−Ｃコネクタ１１に充電機器３０が接続された状態で、ＲＸ２＋端子１１４，ＲＸ２−端子１１５の各々に関して、電圧変化を監視する。そして、判定回路１７は、ＲＸ２＋端子１１４，ＲＸ２−端子１１５の各々における電圧変化を用いて、ＶＢＵＳ端子１１１とＲＸ２＋端子１１４，ＲＸ２−端子１１５との短絡が発生したか否かを判定する。【選択図】図３
2018029451.tif 000002
【特許請求の範囲】
【請求項１】
外部機器の接続用のコネクタを備えた電子機器における短絡判定方法であって、
前記コネクタに充電機器が接続された状態で、前記コネクタが有する複数の端子のうち、前記充電機器から供給される電力を受ける充電端子と接地端子との間に配置された、差動信号の受信用の一対の信号端子の各々に関して、電圧変化を監視し、
前記一対の信号端子の各々における電圧変化を用いて、前記充電端子と前記一対の信号端子との短絡が発生したか否かを判定する
処理を含んだことを特徴とする短絡判定方法。
【請求項２】
前記判定する処理は、
前記一対の信号端子の各々における電圧の立ち上がりのタイミングが前記充電端子における電圧の立ち上がりのタイミングに一致する場合に、前記短絡が発生したと判定する
ことを特徴とする請求項１に記載の短絡判定方法。
【請求項３】
前記判定する処理は、
前記一対の信号端子のうち一方の信号端子における電圧の位相が他方の信号端子における電圧の位相に一致する場合に、前記短絡が発生したと判定する
ことを特徴とする請求項１に記載の短絡判定方法。
【請求項４】
前記短絡が発生したと判定された場合に、前記コネクタが有する複数の端子のうち、前記充電機器に前記電力の供給を実行させるための抵抗値を前記充電機器に付与する端子を電気的に分離する
ことをさらに含むことを特徴とする請求項１〜３のいずれか一つに記載の短絡判定方法。
【請求項５】
外部機器の接続用のコネクタを備えた電子機器であって、
前記コネクタに充電機器が接続された状態で、前記コネクタが有する複数の端子のうち、前記充電機器から供給される電力を受ける充電端子と接地端子との間に配置された、差動信号の受信用の一対の信号端子の各々に関して、電圧変化を監視する監視部と、
前記一対の信号端子の各々における電圧変化を用いて、前記充電端子と前記一対の信号端子との短絡が発生したか否かを判定する判定部と
を有することを特徴とする電子機器。
【発明の詳細な説明】
【技術分野】
【０００１】
本発明は、短絡判定方法及び電子機器に関する。
【背景技術】
【０００２】
外部機器の接続用のコネクタを備える電子機器では、コネクタに異物が混入した状態でコネクタに充電機器が接続されると、充電機器から供給される電力が異物に流れ込むことによって異物が発熱し、電子機器の故障に至ることがある。なお、充電機器に関する先行技術として、電子機器との間の通信状態を検出して異物の混入を検出するものがある。
【０００３】
また、近年、外部機器接続用のコネクタとして、ＵＳＢ（Universal  Serial  Bus）規格の一つであるＴｙｐｅ−Ｃ規格のコネクタ（以下「Ｔｙｐｅ−Ｃコネクタ」と呼ぶ）を備えた電子機器が開発されている。Ｔｙｐｅ−Ｃコネクタが有する端子として、「ＶＢＵＳ端子」、「ＧＮＤ端子」、「ＲＸ１＋端子」、「ＲＸ１−端子」、「ＲＸ２＋端子」、及び「ＲＸ２−端子」等がある。ＶＢＵＳ端子は、充電機器から電子機器へ供給される充電用の電力を受ける充電端子である。ＧＮＤ端子は、接地電位に設定された接地端子である。ＲＸ１＋端子，ＲＸ１−端子は、差動信号の受信用の一対の信号端子である。ＲＸ２＋端子，ＲＸ２−端子は、差動信号の受信用の一対の信号端子である。以下では、ＲＸ１＋端子，ＲＸ１−端子と、ＲＸ２＋端子，ＲＸ２−端子とを区別しない場合には、両者をまとめて「ＲＸｎ＋端子，ＲＸｎ−端子」と表記する。
【先行技術文献】
【特許文献】
【０００４】
【特許文献１】特開２００６−２４４７８８号公報
【発明の概要】
【発明が解決しようとする課題】
【０００５】
ところで、Ｔｙｐｅ−Ｃコネクタでは、ＲＸｎ＋端子，ＲＸｎ−端子が、ＶＢＵＳ端子とＧＮＤ端子との間に配置されているので、Ｔｙｐｅ−Ｃコネクタに異物が混入した場合に、ＶＢＵＳ端子とＲＸｎ＋端子，ＲＸｎ−端子との短絡が発生し易い。すなわち、Ｔｙｐｅ−Ｃコネクタでは、ＶＢＵＳ端子とＧＮＤ端子とを跨ぐ異物が混入すると、異物によってＶＢＵＳ端子と、ＲＸｎ＋端子，ＲＸｎ−端子とが導通するので、ＶＢＵＳ端子とＲＸｎ＋端子，ＲＸｎ−端子との短絡が発生する。ＶＢＵＳ端子とＲＸｎ＋端子，ＲＸｎ−端子との短絡が発生した状態で、Ｔｙｐｅ−Ｃコネクタに充電機器が接続されると、充電機器から供給される電力が異物に流れ込むことによって異物が発熱し、電子機器が故障することがある。なお、Ｔｙｐｅ−Ｃコネクタ以外の外部機器接続用のコネクタでも、ＶＢＵＳ端子とＧＮＤ端子との間に差動信号の受信用の一対の信号端子が配置されていれば、Ｔｙｐｅ−Ｃコネクタと同様の問題が存在する。
【０００６】
このため、外部機器の接続用のコネクタを備える電子機器では、コネクタへの異物混入に起因した端子間の短絡を高精度に判定することが期待されている。
【０００７】
開示の技術は、コネクタへの異物混入に起因した端子間の短絡を高精度に判定することができる短絡判定方法及び電子機器を提供することを目的とする。
【課題を解決するための手段】
【０００８】
本願の開示する短絡判定方法は、一つの態様において、外部機器の接続用のコネクタを備えた電子機器における短絡判定方法であって、前記コネクタに充電機器が接続された状態で、前記コネクタが有する複数の端子のうち、前記充電機器から供給される電力を受ける充電端子と接地端子との間に配置された、差動信号の受信用の一対の信号端子の各々に関して、電圧変化を監視し、前記一対の信号端子の各々における電圧変化を用いて、前記充電端子と前記一対の信号端子との短絡が発生したか否かを判定する。
【発明の効果】
【０００９】
本願の開示する短絡判定方法の一つの態様によれば、コネクタへの異物混入に起因した端子間の短絡を高精度に判定することができるという効果を奏する。
【図面の簡単な説明】
【００１０】
【図１】図１は、実施例１の電子機器の充電態様の一例を示す図である。
【図２】図２は、実施例１のＴｙｐｅ−Ｃコネクタにおける複数の端子の配置態様の一例を示す図である。
【図３】図３は、実施例１の電子機器及び充電機器の構成例を示す図である。
【図４】図４は、実施例１の判定回路による処理の説明に供する図である。
【図５】図５は、実施例１の判定回路による処理の説明に供する図である。
【図６】図６は、実施例１の判定回路による処理の説明に供する図である。
【図７】図７は、実施例１の電子機器の処理の説明に供するフローチャートである。
【発明を実施するための形態】
【００１１】
以下に、本願の開示する短絡判定方法及び電子機器の実施例を図面に基づいて詳細に説明する。なお、この実施例により開示技術が限定されるものではない。
【００１２】
［実施例１］
＜電子機器の充電態様＞
図１は、実施例１の電子機器１０の充電態様の一例を示す図である。図１では、Ｔｙｐｅ−Ｃコネクタ３１を有する充電機器３０を利用して充電を行う場合を示す。図１に示すように、充電機器３０は、Ｔｙｐｅ−Ｃコネクタ３１と、ＡＣアダプタ３２とを有する。Ｔｙｐｅ−Ｃコネクタ３１は、ＡＣアダプタ３２を介して外部電源である商用電源に接続される。ＡＣアダプタ３２は、例えば、１００Ｖの交流の商用電源を降圧して５Ｖの直流電源に変換する。
【００１３】
一方で、電子機器１０は、Ｔｙｐｅ−Ｃコネクタ１１を有する。Ｔｙｐｅ−Ｃコネクタ１１は、外部機器の接続用のコネクタである。ＡＣアダプタ３２を介して外部電源である商用電源に接続されたＴｙｐｅ−Ｃコネクタ３１と、Ｔｙｐｅ−Ｃコネクタ１１とが接続されることにより、充電機器３０が外部機器としてＴｙｐｅ−Ｃコネクタ１１に接続され、電子機器１０が充電される。
【００１４】
＜Ｔｙｐｅ−Ｃコネクタにおける複数の端子の配置態様＞
図２は、実施例１のＴｙｐｅ−Ｃコネクタ１１における複数の端子の配置態様の一例を示す図である。Ｔｙｐｅ−Ｃコネクタ１１は、図２の上側の面（以下「Ａ面」と呼ぶ）に１２個の端子を有し、図２の下側の面（以下「Ｂ面」と呼ぶ）に１２個の端子を有する。Ａ面の端子は、左から順に「ＧＮＤ端子」、「ＴＸ１＋端子」、「ＴＸ１−端子」、「ＶＢＵＳ端子」、「ＣＣ１端子」、「Ｄ＋端子」、「Ｄ−端子」、「ＳＢＵ１端子」、「ＶＢＵＳ端子」、「ＲＸ２−端子」、「ＲＸ２＋端子」、及び「ＧＮＤ端子」である。Ｂ面の端子は、右から順に「ＧＮＤ端子」、「ＴＸ２＋端子」、「ＴＸ２−端子」、「ＶＢＵＳ端子」、「ＣＣ２端子」、「Ｄ＋端子」、「Ｄ−端子」、「ＳＢＵ２端子」、「ＶＢＵＳ端子」、「ＲＸ１−端子」、「ＲＸ１＋端子」、及び「ＧＮＤ端子」である。
【００１５】
このうち、ＶＢＵＳ端子は、充電機器３０から電子機器１０へ供給される充電用の電力を受ける充電端子である。ＧＮＤ端子は、接地電位に設定された接地端子である。ＲＸ１＋端子，ＲＸ１−端子は、差動信号の受信用の一対の信号端子であり、ＵＳＢ規格の一つであるＵＳＢ３．１規格に対応する。ＲＸ２＋端子，ＲＸ２−端子は、差動信号の受信用の一対の信号端子であり、ＵＳＢ規格の一つであるＵＳＢ３．１規格に対応する。以下では、ＲＸ１＋端子，ＲＸ１−端子と、ＲＸ２＋端子，ＲＸ２−端子とを区別しない場合には、両者をまとめて「ＲＸｎ＋端子，ＲＸｎ−端子」と表記する。
【００１６】
Ｔｙｐｅ−Ｃコネクタ１１では、ＲＸｎ＋端子，ＲＸｎ−端子が、ＶＢＵＳ端子とＧＮＤ端子との間に配置される。
【００１７】
＜電子機器及び充電機器の構成例＞
図３は、実施例１の電子機器１０及び充電機器３０の構成例を示す図である。図３において、電子機器１０は、Ｔｙｐｅ−Ｃコネクタ１１と、充電回路１２と、スイッチ１３と、抵抗１４と、接続検出回路１５と、監視回路１６と、判定回路１７と、ＣＣ端子制御回路１８とを有する。また、Ｔｙｐｅ−Ｃコネクタ１１は、ＶＢＵＳ端子１１１と、ＣＣ１端子１１２と、ＧＮＤ端子１１３と、ＲＸ２＋端子１１４と、ＲＸ２−端子１１５とを有する。Ｔｙｐｅ−Ｃコネクタ１１は、外部機器の接続用のコネクタであり、図３の例では、Ｔｙｐｅ−Ｃコネクタ１１に充電機器３０が接続された状態が示される。
【００１８】
ＶＢＵＳ端子１１１は、充電機器３０から電子機器１０へ供給される充電用の電力を受ける充電端子であり、図２のＡ面における右から４番目の端子に相当する。ＣＣ１端子１１２は、充電機器３０に電力の供給を実行させるための抵抗１４の抵抗値を充電機器３０に付与する端子であり、図２のＡ面における右から８番目の端子に相当する。ＧＮＤ端子１１３は、接地電位に設定された接地端子であり、図２のＡ面における右から１番目の端子に相当する。ＲＸ２＋端子１１４，ＲＸ２−端子１１５は、差動信号の受信用の一対の信号端子であり、図２のＡ面における右から２番目及び３番目の端子に相当する。Ｔｙｐｅ−Ｃコネクタ１１に充電機器３０が接続された状態では、ＲＸ２＋端子１１４，ＲＸ２−端子１１５は、図３に示すように、使用されない。なお、図３では、説明の便宜上、ＶＢＵＳ端子１１１、ＣＣ１端子１１２、ＧＮＤ端子１１３、ＲＸ２＋端子１１４、及びＲＸ２−端子１１５以外の他の端子が省略されている。また、図３では、説明の便宜上、ＶＢＵＳ端子１１１、ＣＣ１端子１１２、ＧＮＤ端子１１３、ＲＸ２＋端子１１４、及びＲＸ２−端子１１５の配置態様が図２に示した配置態様と一致していない。
【００１９】
充電回路１２は、ＶＢＵＳ端子１１１を介して充電機器３０から供給される電力を図示しないバッテリーに充電する。
【００２０】
抵抗１４は、スイッチ１３を介してＣＣ１端子１１２に接続される。抵抗１４の抵抗値がスイッチ１３及びＣＣ１端子１１２を介して充電機器３０に付与されることによって、充電機器３０における電力の供給が実行される。言い換えると、ＣＣ１端子１１２は、充電機器３０に電力の供給を実行させるための抵抗１４の抵抗値を充電機器３０に付与する。
【００２１】
接続検出回路１５は、ＶＢＵＳ端子１１１の電圧（以下適宜「ＶＢＵＳ電圧Ｖ１」と表記する）を監視し、ＶＢＵＳ電圧Ｖ１を用いて、Ｔｙｐｅ−Ｃコネクタ１１に充電機器３０が接続されたか否かを検出する。つまり、接続検出回路１５は、ＶＢＵＳ電圧Ｖ１が０Ｖである場合に、Ｔｙｐｅ−Ｃコネクタ１１に充電機器３０が接続されていない状態を検出し、ＶＢＵＳ電圧Ｖ１が０Ｖよりも大きい場合に、Ｔｙｐｅ−Ｃコネクタ１１に充電機器３０が接続された状態を検出する。そして、接続検出回路１５は、Ｔｙｐｅ−Ｃコネクタ１１に充電機器３０が接続された状態を検出した場合に、その旨を示す通知（以下適宜「充電機器接続検出通知」と呼ぶ）をＶＢＵＳ電圧Ｖ１と共に監視回路１６及び判定回路１７へ出力する。
【００２２】
監視回路１６は、Ｔｙｐｅ−Ｃコネクタ１１に充電機器３０が接続されたことを契機として、ＲＸ２＋端子１１４，ＲＸ２−端子１１５の各々に関して、電圧変化を監視する。つまり、監視回路１６は、接続検出回路１５から充電機器接続検出通知を入力されたときに、ＲＸ２＋端子１１４，ＲＸ２−端子１１５の各々に関して、電圧変化の監視を開始する。以下では、ＲＸ２＋端子１１４における電圧、及びＲＸ２−端子１１５における電圧を、それぞれ、「ＲＸ２＋電圧Ｖ２」、及び「ＲＸ２−電圧Ｖ３」と表記する。
【００２３】
判定回路１７は、監視回路１６によって監視される電圧変化を用いて、ＶＢＵＳ端子１１１とＲＸ２＋端子１１４，ＲＸ２−端子１１５との短絡が発生したか否かを判定する。
【００２４】
図４〜図６は、実施例１の判定回路１７による処理の説明に供する図である。図４では、Ｔｙｐｅ−Ｃコネクタ１１に異物が混入していない状態でＴｙｐｅ−Ｃコネクタ１１に外部機器として通信機器が接続された場合のＶＢＵＳ電圧Ｖ１、ＲＸ２＋電圧Ｖ２、及びＲＸ２−電圧Ｖ３の変化を示す。なお、通信機器は、差動信号を出力する通信機器である。図５では、Ｔｙｐｅ−Ｃコネクタ１１に異物が混入していない状態でＴｙｐｅ−Ｃコネクタ１１に外部機器として充電機器３０が接続された場合のＶＢＵＳ電圧Ｖ１、ＲＸ２＋電圧Ｖ２、及びＲＸ２−電圧Ｖ３の変化を示す。図６では、Ｔｙｐｅ−Ｃコネクタ１１に異物が混入した状態でＴｙｐｅ−Ｃコネクタ１１に外部機器として充電機器３０が接続された場合のＶＢＵＳ電圧Ｖ１、ＲＸ２＋電圧Ｖ２、及びＲＸ２−電圧Ｖ３の変化を示す。
【００２５】
Ｔｙｐｅ−Ｃコネクタ１１に異物が混入していない状態でＴｙｐｅ−Ｃコネクタ１１に外部機器として通信機器が接続されると、ＶＢＵＳ電圧Ｖ１は、図４に示すように、時刻ｔ０において、立ち上がる。また、接続された通信機器からの差動信号をＲＸ２＋端子１１４，ＲＸ２−端子１１５が受信することにより、ＲＸ２＋電圧Ｖ２及びＲＸ２−電圧Ｖ３は、ＶＢＵＳ電圧Ｖ１の立ち上がりのタイミングである時刻ｔ０以後において、差動信号に応じて変化する。つまり、ＲＸ２＋電圧Ｖ２及びＲＸ２−電圧Ｖ３の立ち上がりのタイミングは、ＶＢＵＳ電圧Ｖ１の立ち上がりのタイミング（時刻ｔ０）に一致せず、かつ、ＲＸ２＋電圧Ｖ２の位相がＲＸ２−電圧Ｖ３の位相に対して反転する。
【００２６】
また、Ｔｙｐｅ−Ｃコネクタ１１に異物が混入していない状態でＴｙｐｅ−Ｃコネクタ１１に外部機器として充電機器３０が接続されると、ＶＢＵＳ電圧Ｖ１は、図５に示すように、時刻ｔ０において、立ち上がる。しかしながら、Ｔｙｐｅ−Ｃコネクタ１１に充電機器３０が接続された状態では、ＲＸ２＋端子１１４，ＲＸ２−端子１１５が使用されないため、ＲＸ２＋電圧Ｖ２及びＲＸ２−電圧Ｖ３は、ＶＢＵＳ電圧Ｖ１の立ち上がりに関わらず、変化しない。
【００２７】
これに対して、Ｔｙｐｅ−Ｃコネクタ１１に異物が混入した状態でＴｙｐｅ−Ｃコネクタ１１に外部機器として充電機器３０が接続されると、ＶＢＵＳ電圧Ｖ１は、図６に示すように、時刻ｔ０において、立ち上がる。そして、Ｔｙｐｅ−Ｃコネクタ１１に異物が混入した状態では、異物によってＶＢＵＳ端子１１１と、ＲＸ２＋端子１１４，ＲＸ２−端子１１５とが導通するので、ＲＸ２＋電圧Ｖ２及びＲＸ２−電圧Ｖ３は、ＶＢＵＳ電圧Ｖ１の立ち上がりに伴って、立ち上がる。つまり、ＲＸ２＋電圧Ｖ２及びＲＸ２−電圧Ｖ３の立ち上がりのタイミングは、ＶＢＵＳ電圧Ｖ１の立ち上がりのタイミング（時刻ｔ０）に一致し、かつ、ＲＸ２＋電圧Ｖ２の位相がＲＸ２−電圧Ｖ３の位相に一致する。
【００２８】
そこで、判定回路１７は、監視回路１６によって監視される電圧変化（つまり、ＲＸ２＋電圧Ｖ２及びＲＸ２−電圧Ｖ３の変化）を用いて、ＶＢＵＳ端子１１１とＲＸ２＋端子１１４，ＲＸ２−端子１１５との短絡（以下「短絡」と呼ぶ）が発生したか否かを判定する。そして、判定回路１７は、図６に示すように、ＲＸ２＋電圧Ｖ２及びＲＸ２−電圧Ｖ３の立ち上がりのタイミングが、ＶＢＵＳ電圧Ｖ１の立ち上がりのタイミングに一致する場合に、Ｔｙｐｅ−Ｃコネクタ１１への異物混入に起因して短絡が発生したと判定する。
【００２９】
図３の説明に戻る。ＣＣ端子制御回路１８は、判定回路１７による判定結果に応じて、スイッチ１３を制御する。すなわち、初期状態では、ＣＣ端子制御回路１８は、スイッチ１３をオンにしている。これにより、Ｔｙｐｅ−Ｃコネクタ１１に充電機器３０が接続された場合、抵抗１４とＣＣ１端子１１２との間の経路が接続されているため、ＣＣ１端子１１２を介して抵抗１４の抵抗値を充電機器３０に付与することができる。抵抗１４の抵抗値を用いることにより、充電機器３０に電力の供給を実行させることができる。
【００３０】
一方で、ＣＣ端子制御回路１８は、判定回路１７により短絡が発生したと判定された場合には、スイッチ１３をオフにしてＣＣ１端子１１２を電気的に分離する。ＣＣ端子制御回路１８がスイッチ１３をオフにすることにより、抵抗１４とＣＣ１端子１１２との間の経路が切断されるため、ＣＣ１端子１１２を介して充電機器３０に付与される抵抗１４の抵抗値がスイッチ１３により遮断される。これにより、充電機器３０に電力の供給を停止させることができる。なお、抵抗１４の抵抗値を用いた電力供給の停止の詳細は後述する。
【００３１】
図３において、充電機器３０は、Ｔｙｐｅ−Ｃコネクタ３１と、ＡＣアダプタ３２とを有する。Ｔｙｐｅ−Ｃコネクタ３１は、ＶＢＵＳ端子３１１と、ＣＣ１端子３１２と、ＧＮＤ端子３１３と、ＲＸ２＋端子３１４と、ＲＸ２−端子３１５とを有する。ＶＢＵＳ端子３１１は、ＡＣアダプタ３２から供給される充電用の電力を電子機器１０へ出力する充電端子である。ＣＣ１端子３１２は、Ｔｙｐｅ−Ｃコネクタ１１に充電機器３０が接続された場合に、電子機器１０から付与される抵抗１４の抵抗値を受け付けるための端子である。ＧＮＤ端子３１３は、接地電位に設定された接地端子であり、充電機器３０と電子機器１０との間の接地電位を共通化する。ＲＸ２＋端子３１４，ＲＸ２−端子３１５は、差動信号の受信用の一対の信号端子である。Ｔｙｐｅ−Ｃコネクタ１１に充電機器３０が接続された状態では、ＲＸ２＋端子３１４，ＲＸ２−端子３１５は、図３に示すように、使用されない。
【００３２】
ＡＣアダプタ３２は、電源回路３２１と、スイッチ３２２と、抵抗３２３と、電圧比較器３２４とを有する。
【００３３】
電源回路３２１は、スイッチ３２２を介してＶＢＵＳ端子３１１と接続され、抵抗３２３を介してＣＣ１端子３１２と接続される。電源回路３２１は、外部電源である商用電源から供給される電力を充電用の電力として出力する。電源回路３２１から出力された充電用の電力は、スイッチ３２２を介してＶＢＵＳ端子３１１に供給される。また、電源回路３２１から出力された充電用の電力に応じた電圧（以下「出力電圧」と呼ぶ）は、抵抗３２３を介してＣＣ１端子３１２に供給される。
【００３４】
電圧比較器３２４は、抵抗３２３に発生した電圧、つまり、ＣＣ１端子３１２における電圧と、電源回路３２１の出力電圧よりも低い基準電圧とを比較し、その比較結果に応じて、スイッチ３２２を制御する。すなわち、Ｔｙｐｅ−Ｃコネクタ１１に充電機器３０が接続される前には、電源回路３２１の出力電圧がそのまま抵抗３２３に発生するため、電源回路３２１の出力電圧がＣＣ１端子３１２における電圧として電圧比較器３２４で検出される。このため、電圧比較器３２４は、Ｔｙｐｅ−Ｃコネクタ１１に充電機器３０が接続されていない状態では、ＣＣ１端子３１２における電圧が基準電圧に一致しないので、スイッチ３２２をオフに維持する。
【００３５】
一方で、Ｔｙｐｅ−Ｃコネクタ１１に充電機器３０が接続されると、ＣＣ１端子３１２が電子機器１０から付与される抵抗１４の抵抗値を受け付けるので、電源回路３２１の出力電圧が、抵抗１４の抵抗値と、抵抗３２３の抵抗値との比に応じて分圧される。そして、電源回路３２１の出力電圧が分圧されることにより、電源回路３２１の出力電圧よりも低い電圧が抵抗３２３に発生し、抵抗３２３に発生した電圧がＣＣ１端子３１２における電圧として電圧比較器３２４で検出される。このため、電圧比較器３２４は、Ｔｙｐｅ−Ｃコネクタ１１に充電機器３０が接続された状態で、ＣＣ１端子３１２における電圧が基準電圧まで低下した場合に、スイッチ３２２をオンにする。電圧比較器３２４がスイッチ３２２をオンにすることにより、ＶＢＵＳ端子３１１と電源回路３２１との間の経路が開通されるため、電源回路３２１（つまり、充電機器３０）から電子機器１０への電力の供給が実行される。
【００３６】
また、Ｔｙｐｅ−Ｃコネクタ１１に充電機器３０が接続された状態で、ＣＣ端子制御回路１８によってＣＣ１端子１１２が電気的に分離された場合、抵抗１４の抵抗値がＣＣ１端子３１２で受け付けられない。この場合、電源回路３２１の出力電圧が、抵抗１４の抵抗値と、抵抗３２３の抵抗値との比に応じて分圧されない。そして、電源回路３２１の出力電圧がそのまま抵抗３２３に発生するため、電源回路３２１の出力電圧がＣＣ１端子３１２における電圧として電圧比較器３２４で検出される。すると、電圧比較器３２４は、ＣＣ１端子３１２における電圧が基準電圧に一致しなくなるので、スイッチ３２２をオフにする。電圧比較器３２４がスイッチ３２２をオフにすることにより、ＶＢＵＳ端子３１１と電源回路３２１との間の経路が切断されるため、電源回路３２１（つまり、充電機器３０）から電子機器１０への電力の供給が停止される。
【００３７】
＜電子機器の処理＞
図７は、実施例１の電子機器１０の処理の説明に供するフローチャートである。図７に示すフローチャートは、Ｔｙｐｅ−Ｃコネクタ１１に充電機器３０が接続されたことを契機として、開始される。つまり、図７に示すフローチャートは、監視回路１６及び判定回路１７に充電機器接続検出通知が入力されたことを契機として、開始される。
【００３８】
Ｔｙｐｅ−Ｃコネクタ１１に充電機器３０が接続されていない場合（ステップＳ１１：Ｎｏ）、電子機器１０は、待機する。Ｔｙｐｅ−Ｃコネクタ１１に充電機器３０が接続された場合（ステップＳ１１：Ｙｅｓ）、監視回路１６は、ＲＸ２＋端子１１４，ＲＸ２−端子１１５の各々に関して、電圧変化を監視する（ステップＳ１２）。
【００３９】
判定回路１７は、ＲＸ２＋電圧Ｖ２及びＲＸ２−電圧Ｖ３の立ち上がりのタイミングが、ＶＢＵＳ電圧Ｖ１の立ち上がりのタイミングに一致するか否かを判定する（ステップＳ１３）。
【００４０】
判定回路１７は、ＲＸ２＋電圧Ｖ２及びＲＸ２−電圧Ｖ３の立ち上がりのタイミングが、ＶＢＵＳ電圧Ｖ１の立ち上がりのタイミングに一致しない場合には（ステップＳ１３：Ｎｏ）、短絡が発生していないと判定する（ステップＳ１４）。
【００４１】
判定回路１７は、ＲＸ２＋電圧Ｖ２及びＲＸ２−電圧Ｖ３の立ち上がりのタイミングが、ＶＢＵＳ電圧Ｖ１の立ち上がりのタイミングに一致する場合には（ステップＳ１３：Ｙｅｓ）、短絡が発生したと判定する（ステップＳ１５）。ＣＣ端子制御回路１８は、判定回路１７により短絡が発生したと判定されると、スイッチ１３をオフにしてＣＣ１端子１１２を電気的に分離する（ステップＳ１６）。
【００４２】
以上のように本実施例によれば、電子機器１０において、監視回路１６は、Ｔｙｐｅ−Ｃコネクタ１１に充電機器３０が接続された状態で、ＲＸ２＋端子１１４，ＲＸ２−端子１１５の各々に関して、電圧変化を監視する。そして、判定回路１７は、ＲＸ２＋端子１１４，ＲＸ２−端子１１５の各々における電圧変化を用いて、ＶＢＵＳ端子１１１とＲＸ２＋端子１１４，ＲＸ２−端子１１５との短絡が発生したか否かを判定する。具体的には、判定回路１７は、ＲＸ２＋端子１１４，ＲＸ２−端子１１５の各々における電圧の立ち上がりのタイミングがＶＢＵＳ端子１１１における電圧の立ち上がりのタイミングに一致する場合に、短絡が発生したと判定する。
【００４３】
この電子機器１０の構成により、ＶＢＵＳ端子１１１とＧＮＤ端子１１３とを跨ぐ異物によって、ＶＢＵＳ１１１端子と、ＲＸ２＋端子１１４，ＲＸ２−端子１１５とが導通する状態を判定することができる。結果として、本実施例によれば、Ｔｙｐｅ−Ｃコネクタ１１を備える電子機器１０において、Ｔｙｐｅ−Ｃコネクタ１１への異物混入に起因した端子間の短絡を高精度に判定することができる。
【００４４】
また、電子機器１０において、ＣＣ端子制御回路１８は、短絡が発生したと判定された場合に、充電機器３０に電力の供給を実行させるための抵抗１４の抵抗値を充電機器３０に付与するＣＣ１端子１１２を電気的に分離する。
【００４５】
この電子機器１０の構成により、Ｔｙｐｅ−Ｃコネクタ１１への異物混入に起因した端子間の短絡が発生したと判定された場合に、充電機器３０に電力の供給を停止させることができる。このため、充電機器３０から供給される電力が異物に流れ込むことによって異物が発熱することを防止することができ、結果として、異物の発熱による電子機器１０の故障を回避することができる。
【００４６】
［他の実施例］
上記実施例では、判定回路１７は、ＲＸ２＋端子１１４，ＲＸ２−端子１１５の各々における電圧の立ち上がりのタイミングがＶＢＵＳ端子１１１における電圧の立ち上がりのタイミングに一致する場合に、短絡が発生したと判定するものとした。しかし、判定回路１７は、ＲＸ２＋端子１１４，ＲＸ２−端子１１５のうち一方の信号端子における電圧の位相が他方の信号端子における電圧の位相に一致する場合に、短絡が発生したと判定してもよい。
【００４７】
また、上記実施例では、電子機器１０が外部機器の接続用のコネクタとして、Ｔｙｐｅ−Ｃコネクタ１１を有する場合を一例として説明した。しかし、電子機器１０がＴｙｐｅ−Ｃコネクタ１１以外のコネクタを外部機器の接続用のコネクタとして有する場合であっても、ＶＢＵＳ端子とグランド端子との間に差動信号の受信用の一対の信号端子が配置されていれば、開示の技術を実施することができる。
【００４８】
また、上記実施例において、接続検出回路１５、監視回路１６、判定回路１７、及びＣＣ端子制御回路１８は、プロセッサにより実現されてもよい。ここで、プロセッサの一例として、ＣＰＵ（Central  Processing  Unit）、ＤＳＰ（Digital  Signal  Processor）、ＦＰＧＡ（Field  Programmable  Gate  Array）等が挙げられる。
【符号の説明】
【００４９】
１０  電子機器
１１  Ｔｙｐｅ−Ｃコネクタ
１２  充電回路
１３  スイッチ
１４  抵抗
１５  接続検出回路
１６  監視回路
１７  判定回路
１８  ＣＣ端子制御回路
１１１  ＶＢＵＳ端子
１１２  ＣＣ１端子
１１３  ＧＮＤ端子
１１４  ＲＸ２＋端子
１１５  ＲＸ２−端子
【図１】
2018029451.tif 000003
【図２】
2018029451.tif 000004
【図３】
2018029451.tif 000005
【図４】
2018029451.tif 000006
【図５】
2018029451.tif 000007
【図６】
2018029451.tif 000008
【図７】
2018029451.tif 000009